(57)【要約】【課題】  興趣性の高い動作体玩具を低コストで実現する。【解決手段】  動物または人の形を模した形状を有する動作体玩具１００であって、音声出力部を有し、かつ、肢部１３１〜１３３が動作可能に取り付けられた胴体部１２０と、胴体部１２０に対して、動作可能に取り付けられた首部によって支持されており、移動体通信機器１５０が嵌合されることで、移動体通信機器１５０を動作体玩具１００の顔面位置において保持する頭部１１０と、頭部１１０において保持された移動体通信機器１５０に対するユーザ入力に応じて出力される信号を、胴体部１２０が有する音声出力部及び胴体部１２０に取り付けられた肢部１３１〜１３３を動作させる制御部に伝送するための伝送部材１１４とを備えることを特徴とする。【選択図】  図２
2013039207.tif 000002
【特許請求の範囲】
【請求項１】
動物または人の形等の特定の形状を模した形状を有する動作体玩具であって、
肢部が動作可能に取り付けられた胴体部と、
前記胴体部に対して、動作可能に取り付けられた首部によって支持されており、表示部を有する通信機器が嵌合されることで、該通信機器を前記動作体玩具の顔面位置において保持する頭部と、
前記頭部において保持された前記通信機器から出力される信号を、前記胴体部に取り付けられた前記肢部を動作させる制御部に伝送するための伝送部材と
を備えることを特徴とする動作体玩具。
【請求項２】
前記動作体玩具は、前記通信機器から出力される信号に基づいて音声が出力される音声出力部を有し、
前記伝送部材は、少なくとも２つの伝送経路を有するイヤホンジャックであり、第１の伝送経路により伝送された信号は前記音声出力部に入力され、第２の伝送経路により伝送された信号は前記制御部に入力されることを特徴とする請求項１に記載の動作体玩具。
【請求項３】
前記イヤホンジャックは、リング部を介して前記通信機器から出力される信号を前記音声出力部に伝送し、チップ部を介して前記通信機器から出力される信号を前記制御部に伝送するよう構成されていることを特徴とする請求項２に記載の動作体玩具。
【請求項４】
前記制御部では、前記通信機器より、内部電池の残容量が所定値以下であることを示す信号が伝送された場合に、前記肢部の動作速度を落として、前記肢部を動作させることを特徴とする請求項１乃至３のいずれか１項に記載の動作体玩具。
【請求項５】
前記通信機器の表示部には、前記音声出力部により出力される音声または前記制御部により制御される前記肢部の動作内容の少なくともいずれか一方と対応した顔面画像が表示されることを特徴とする請求項２乃至４のいずれか１項に記載の動作体玩具。
【請求項６】
前記通信機器に対してユーザが入力した指示に従って、該通信機器から前記信号が出力されることを特徴とする請求項１乃至５のいずれか１項に記載の動作体玩具。
【請求項７】
前記通信機器において入力された音声または前記通信機器において撮像された画像に基づいて、該通信機器から前記信号が出力されることを特徴とする請求項１乃至５のいずれか１項に記載の動作体玩具。
【請求項８】
前記通信機器は、無線通信部を有し、
前記無線通信部の処理結果に基づいて、該通信機器から前記信号が出力されることを特徴とする請求項１乃至５のいずれか１項に記載の動作体玩具。
【請求項９】
請求項１乃至３のいずれか１項に記載の動作体玩具に前記伝送部材を介して接続される前記通信機器のコンピュータに、制御方法を実行させるためのプログラムであって、
前記制御方法は、
音声出力部により出力される音声または前記制御部により制御される前記肢部の動作内容の少なくともいずれか一方に対応した顔面画像を表示する工程と、
前記通信機器において入力された指示に従って、該通信機器から前記信号を出力する工程と、
前記通信機器において入力された音声または前記通信機器において撮像された画像に基づいて、該通信機器から前記信号を出力する工程と
を有することを特徴とするプログラム。
【請求項１０】
前記制御方法は、更に、前記通信機器の内部電池の残容量が所定値以下であることを示す信号を出力する工程を有することを特徴とする請求項９に記載のプログラム。
【発明の詳細な説明】
【技術分野】
【０００１】
本発明は、動作体玩具に関するものである。
【背景技術】
【０００２】
従来より、モータ駆動により四肢が動作可能な人形体に対して、携帯電話機等の移動体通信機器を接続し、該移動体通信機器の制御のもとで、人形体の四肢を動作させる玩具が一般に知られている（例えば、下記特許文献１参照）。
【先行技術文献】
【特許文献】
【０００３】
【特許文献１】特開２００３−１６３７２５号公報
【発明の概要】
【発明が解決しようとする課題】
【０００４】
しかしながら、上記特許文献１の場合、携帯電話機に予め格納されたアプリケーションを実行させることで人形体の四肢を動作させる構成を前提としており、例えば、ユーザとの対話を行いながら、その対話内容に応じて人形体の四肢を変化させるといった構成になっていない。また、ぬいぐるみのような人形の四肢を動作させるだけであり、表情の変化等は表現できず、表現に乏しいものものであった。このため、動作が一様であり、興趣性に欠けるという問題があった。
【０００５】
また、上記特許文献１の場合、携帯電話機の外部通信用のコネクタに接続することで、人形体の四肢の動作に用いられる信号を受信する構成となっており、人形体側において、携帯電話機の外部通信用のコネクタに接続するためのインタフェースを用意しておく必要があった。このため、コストがかかるという問題もあった。
【０００６】
本発明は上記課題に鑑みてなされたものであり、興趣性の高い動作体玩具を低コストで実現できるようにすることを目的とする。
【課題を解決するための手段】
【０００７】
上記の目的を達成するために本発明に係る動作体玩具は以下のような構成を備える。即ち、
動物または人の形等の特定の形状を模した形状を有する動作体玩具であって、
肢部が動作可能に取り付けられた胴体部と、
前記胴体部に対して、動作可能に取り付けられた首部によって支持されており、通信機器が嵌合されることで、該通信機器を前記動作体玩具の顔面位置において保持する頭部と、
前記頭部において保持された前記通信機器から出力される信号を、前記胴体部に取り付けられた前記肢部を動作させる制御部に伝送するための伝送部材とを備える。
【発明の効果】
【０００８】
本発明によれば、興趣性の高い動作体玩具を低コストで実現することが可能となる。
【図面の簡単な説明】
【０００９】
【図１】本発明の一実施形態に係る動作体玩具の外観構成を示す図である。
【図２】動作体玩具に移動体通信機器を取り付けた様子を示す図である。
【図３】動作体玩具の可動部を示す図である。
【図４】移動体通信機器と動作体玩具との接続を説明するための図である。
【図５】動作体玩具の機能構成を示す図である。
【図６】移動体通信機器の機能構成を示す図である。
【図７】移動体通信機器における処理の流れを示す図である。
【図８】表示制御プログラムにより移動体通信機器の表示部に表示された表示内容の一例を示す図である。
【図９】モータ駆動制御プログラムにより制御された動作体玩具の動作内容の一例を示す図である。
【発明を実施するための形態】
【００１０】
以下、必要に応じて添付図面を参照しながら本発明の各実施形態を詳細に説明する。
【００１１】
［第１の実施形態］
＜１．動作体玩具の全体構成＞
図１は、本発明の一実施形態に係る動作体玩具１００の外観構成を示す図である。図１に示すように、本実施形態に係る動作体玩具１００は、犬を模した形状を有している。なお、動作体玩具１００の形状は、犬を模した形状に限定されるものではなく、他の動物や人等の特定の形状を模した形状であってもよい。
【００１２】
図１において、１１０は頭部であり、嵌合部１１３にスマートフォン１５０等の移動体通信機器が嵌合されるよう構成されている。このように、スマートフォン１５０が動作体玩具１００の頭部１１０の一部（顔面部）を形成するよう、該スマートフォン１５０を動作体玩具１００の顔面位置において保持する構成とすることで、嵌合部１１３に嵌合された状態でも、ユーザは、容易にスマートフォン１５０を操作することが可能となる。この結果、スマートフォン１５０側にて、ユーザと対話しながら、動作体玩具１００を動作させることができる興趣性の高いアプリケーションを搭載することが可能となる。
【００１３】
なお、本実施形態では、スマートフォン等の移動体通信機器を用いて説明しているが、表示部を有し、かつ、動作体玩具の動作を制御する信号または動作体玩具に設けられた音声出力部から音声を出力するための信号を出力可能な通信機器であればこれに限られることはない。
【００１４】
嵌合部１１３の側壁には信号を伝送する伝送部材としてのイヤホンジャック１１４が配されており、スマートフォン１５０が嵌合部１１３に嵌合された状態で、スマートフォン１５０と動作体玩具１００とが、当該イヤホンジャック１１４により電気的に接続されることで、信号の伝送が可能となる。
【００１５】
更に、頭部１１０の外側側面には、右耳部１１１と左耳部１１２とがそれぞれ配されており、嵌合部１１３に嵌合されたスマートフォン１５０の表示部に表示される、犬の顔を示す顔面画像と協働して、犬の頭部を形成する。
【００１６】
１２０は胴体部であり、肢部（右前足部１３１、左前足部１３２、図１において不図示の右後足部、左後足部１３３）と、尻尾部１４１とが、スマートフォン１５０からの制御信号に基づいて動作可能に取り付けられている。胴体部１２０に取り付けられた各足部（１３１〜１３３）の先端には、それぞれ、回動自在に構成された車輪が取り付けられており、これにより、四肢が動作した際に、動作体玩具１００が床面上を滑らかに移動することができる。
【００１７】
また、胴体部１２０には、スピーカ部等の音声出力部（不図示）が設けられており、スマートフォン１５０からの音声信号に基づいて音声が出力されるよう構成されている。
【００１８】
＜２．移動体通信機器を取り付けた場合の動作体玩具の全体構成＞
次に、移動体通信機器を取り付けた場合の動作体玩具の全体構成について説明する。図２は、動作体玩具１００にスマートフォン１５０を取り付けた様子を示す図である。図２に示すように、動作体玩具１００の頭部１１０にスマートフォン１５０を嵌合させた状態で、所定の動作体玩具動作アプリケーションを動作させ、スマートフォン１５０の表示部に犬の顔を示す顔面画像（イヤホンジャック１１４が接続された側を頭側とし、イヤホンジャック１１４が接続された側と対向する側を顎側とする顔面画像）を表示させることで、全体として、犬型の動作体玩具を形成することができる。
【００１９】
＜３．可動部についての説明＞
次に、スマートフォン１５０からの制御信号に基づいて動作する、動作体玩具１００の可動部について説明する。図３は、動作体玩具１００の可動部について説明するために、動作体玩具１００を側面から見た様子を示す図である。
【００２０】
図３に示すように、頭部１１０は首部３００により背面から支持されている。首部３００は、胴体部１２０に対して、回動軸３０１周りに回動するよう構成されている。首部３００が回動軸３０１周りを矢印３０１Ａ方向に所定角度回動することで、犬が顔を上げた状態を表現することができ、矢印３０１Ｂ方向に所定角度回動することで、犬がうつむいた状態を表現することができる。
【００２１】
尻尾部１４１は、胴体部１２０に対して、回動軸３０２周りに回動するよう構成されている。尻尾部１４１が回動軸３０２周りを所定角度の範囲内で往復動作することで、犬が尻尾を振っている状態を表現することができる。
【００２２】
左前足部１３２及び左後足部１３３は、胴体部１２０に対して、回動軸３０３及び回動軸３０４周りにそれぞれ回動するよう構成されている。また、右前足部１３１及び右後足部１３４は、胴体部１２０に対して、回動軸３０５及び３０６周りにそれぞれ回動するよう構成されている。
【００２３】
各足部１３１〜１３４が回動軸３０３〜３０６周りにそれぞれ所定角度回動することで、犬が歩いたり、おすわりしたりする状態を表現することができる。
【００２４】
＜４．移動体通信機器と動作体玩具との電気的接続＞
次に、移動体通信機器と動作体玩具との電気的接続について説明する。図４は、スマートフォン１５０と動作体玩具１００とを電気的に接続するためのインタフェースを示した図である。図４に示すように、スマートフォン１５０と動作体玩具１００とは、いわゆるイヤホンジャック１１４と呼ばれるインタフェースにより接続される。このように、スマートフォン１５０と動作体玩具１００との電気的接続において、イヤホンジャック１１４を用いる構成とすることで、従来のような外部通信用のコネクタを介して接続する場合と比較して、低コストにより実現することが可能となる。
【００２５】
イヤホンジャック１１４は、胴体部１２０の信号受信部（後述）から延設され、首部３００の内部を通って頭部１１０まで配設されており、その先端部は、頭部１１０の嵌合部１１３の上側側壁から外部に露出している（図１参照）。
【００２６】
イヤホンジャック１１４の先端部は、少なくとも３極のコネクタを有しており、一般に、接地用に用いられるスリーブ部４０１と、右チャンネル用の音声信号に用いられるリング部４０２と、左チャンネル用の音声信号に用いられるチップ部４０３とで構成され、各部は、絶縁リング４０４により絶縁されている。
【００２７】
本実施形態に係る動作体玩具１００では、右チャンネル用の音声信号に用いられるリング部４０２または左チャンネル用の音声信号に用いられるチップ部４０３のうちのいずれか一方を、音声信号の伝送に利用し、他方を上記回動軸周りの回動動作に用いられる制御信号の伝送に利用する。なお、以下では、説明の便宜上、チップ部４０３を回動軸周りの回動動作に用いられる制御信号の伝送に利用するものとする。
【００２８】
４１１は、リング部４０２と接続された配線（第１の伝送経路）であり、スマートフォン１５０から出力された音声信号（アナログ信号）を胴体部１２０の音声出力部（例えば、スピーカ部）に向けて伝送する。４１２は、チップ部４０３と接続された配線（第２の伝送経路）であり、スマートフォン１５０から出力された制御信号（例えば、パルス信号）を胴体部１２０内の動作制御部（後述）に向けて伝送する。４１３は、スリーブ部４０１と接続された配線であり、胴体部１２０内において接地される。
【００２９】
本実施形態に係る動作体玩具１００では、イヤホンジャックの右チャンネル用の音声信号出力端子または左チャンネル用の音声信号出力端子からそれぞれ異なる信号を出力している。それにより、イヤホンジャックから単一の信号が出力され、動作体玩具１００の内部で音声出力用の音声信号と動作体玩具の動作制御信号とに分けるための制御部を設ける場合に比べて、動作体玩具１００を簡易な構成で実現することができる。したがって、本実施形態に係る動作体玩具１００では、回路構成を簡易化することができ、コストを低減することができる。
【００３０】
なお、本実施形態では、イヤホンジャックの右チャンネル用の音声信号出力端子または左チャンネル用の音声信号出力端子からそれぞれ、音声信号または制御信号を出力しているが、これに限られることはなく、動作体玩具１００の動作に応じて、適宜信号を出力すればよい。例えば、動作体玩具１００が音声出力部と発光部とを有するものの場合、イヤホンジャックの右チャンネル用の音声信号出力端子または左チャンネル用の音声信号出力端子からそれぞれ、音声出力部または発光部の動作信号を出力するようにすればよいし、動作体玩具１００が発光部と玩具本体の四肢等を駆動する駆動機構とを有するものの場合、イヤホンジャックの右チャンネル用の音声信号出力端子または左チャンネル用の音声信号出力端子からそれぞれ、発光部または該駆動機構の動作信号を出力するようにすればよい。
【００３１】
＜５．動作体玩具の機能構成＞
次に、動作体玩具１００の胴体部１２０内部の機能構成について説明する。図５は、動作体玩具１００の胴体部１２０の機能構成を示す図である。図５において、５１０は信号受信部であり、イヤホンジャック１１４が接続されている。
【００３２】
信号受信部５１０は、配線４１１を介してスマートフォン１５０から伝送された音声信号をスピーカ部５２０に送信する。また、配線４１２を介してスマートフォン１５０から伝送された制御信号を動作制御部５３０に伝送する。更に、配線４１３を接地する。
【００３３】
５２０はスピーカ部であり、信号受信部５１０から送信された音声信号に基づいて、音声を出力する。５３０は動作制御部であり、信号受信部５１０から送信された制御信号に基づいて、動作対象と動作内容を識別する。更に、識別した動作対象の動作モータを、識別した動作内容に従って動作させるよう、各動作モータに対して駆動信号を出力する。
【００３４】
動作制御部５３０には、各動作モータが接続されている。５４１は首部動作モータであり、回動軸３０１周りに首部３００を回動させるためのモータである。５４２は右前足動作モータであり、回動軸３０５周りに右前足部１３１を回動させるためのモータである。５４３は左前足動作モータであり、回動軸３０３周りに左前足部１３２を回動させるためのモータである。
【００３５】
更に、５４４及び５４５はそれぞれ右後足動作モータ及び左後足動作モータであり、回動軸３０６及び回動軸３０４周りに右後足部１３４または左後足部１３３を回動させるためのモータである。更に、５４６は尻尾動作モータであり、尻尾部１４１を回動軸３０２周りに回動させるためのモータである。
【００３６】
＜６．移動体通信機器の機能構成＞
次に、移動体通信機器の機能構成について説明する。図６はスマートフォン１５０の機能構成を示す図である。図６に示すようにスマートフォン１５０は、制御部（コンピュータ）６１１、メモリ部６１２、表示部６１３、イヤホンジャック用コネクタ部６１４、マイクロフォン部６１５、スピーカ部６１６、カメラ部６１７、無線通信部６１８、外部通信用Ｉ／Ｆ部６１９、電源制御部６２０を備える。
【００３７】
制御部６１１ではメモリ部６１２に記憶された各種プログラムやデータを読み出し、処理を実行することにより、後述する動作体玩具動作機能を実現する。
【００３８】
メモリ部６１２は、動作体玩具動作機能を実現するための動作体玩具動作アプリケーション６００を記憶している。動作体玩具動作アプリケーション６００は、表示部６１３の表示を制御する表示制御プログラム６０１と、動作体玩具１００のスピーカ部５２０に出力する音声を制御する音声出力制御プログラム６０２と、動作体玩具１００の動作制御部５３０に制御信号を出力するためのモータ駆動制御プログラム６０３とを備える。
【００３９】
表示部６１３は表示制御プログラム６０１による制御のもと、各種画像を表示する。なお、表示部６１３はタッチパネル機能を有しており、ユーザは、表示部６１３に直接触れることで、各種指示を入力することができる。
【００４０】
イヤホンジャック用コネクタ部６１４は、通常は、イヤホンジャックが接続され、音声信号（ステレオ信号）を当該接続されたイヤホンジャックに対して出力する。なお、本実施形態においては、イヤホンジャック１１４が接続され、動作体玩具動作アプリケーション６００が起動された場合にあっては、音声信号と制御信号とを出力する。
【００４１】
マイクロフォン部６１５は、ユーザの音声を検出するものであり、通常は、通話時等に用いられる。なお、動作体玩具動作アプリケーション６００が起動された場合にあっては、ユーザからの音声指示を検出するために用いられる。
【００４２】
スピーカ部６１６は、イヤホンジャック用コネクタ部６１４にイヤホンジャックが接続されていない状態において音声を出力するのに用いられ、通常は、音楽視聴時や通話時等に用いられる。
【００４３】
カメラ部６１７は、静止画像または動画像を撮像する際に用いられる。ただし、本実施形態においては、動作体玩具動作アプリケーション６００が起動した場合においても動作させることが可能であり、この場合、カメラ部６１７を介して撮像された静止画像または動画像を処理し、その処理結果に基づいて、表示部６１３の表示内容を変更させたり、動作体玩具１００のスピーカ部５２０に出力する音声信号を変更させたり、動作体玩具１００の動作制御部５３０に出力する制御信号を変更させたりすることができる。
【００４４】
無線通信部６１８は、通話やメールの送受信等のように、外部の装置と無線通信を行う際に用いられる。なお、動作体玩具動作アプリケーション６００が起動された場合にあっては、無線通信部６１８において着呼やメール受信を認識した際に、表示部６１３の表示内容を変更させたり、動作体玩具１００のスピーカ部５２０に出力する音声信号を変更させたり、動作体玩具１００の動作制御部５３０に出力する制御信号を変更させたりすることができる。
【００４５】
外部通信用Ｉ／Ｆ部６１９は、外部機器と有線での通信を行うために、外部機器との間で通信ケーブルを接続する際に用いられる。なお、動作体玩具１００へ出力される音声信号や制御信号は、上述したように、イヤホンジャック用コネクタ部６１４を介して出力されるため、これらの信号出力に際して、外部通信用Ｉ／Ｆ部６１９が用いられることはない。
【００４６】
電源制御部６２０は、スマートフォン１５０の各部に電力を供給する内部電池（不図示）を管理する機能を有しており、内部電池の残容量を監視することができる。なお、動作体玩具動作アプリケーション６００が起動された場合にあっては、電源制御部６２０において内部電池の残容量が所定値以下となったことを検知したことに応じて、動作制御部５３０に出力する制御信号にその旨を付加することで、動作体玩具１００における動作内容を変更させることができる。
【００４７】
＜７．移動体通信機器における処理の流れ＞
次に、移動体通信機器における処理の流れについて説明する。図７は、スマートフォン１５０を用いて動作体玩具１００を動作させるための、スマートフォン１５０における処理の流れを示す図である。
【００４８】
スマートフォン１５０の電源を投入した後、イヤホンジャック１１４を接続し、スマートフォン１５０を動作体玩具１００の頭部１１０に嵌合させた状態で、図７に示す処理が開始される。
【００４９】
ステップＳ７０１では、ユーザからの指示に応じて動作体玩具動作アプリケーション６００を起動する。ステップＳ７０２では、表示部６１３が有するタッチパネル機能を介してユーザより入力された指示内容を認識する。
【００５０】
ステップＳ７０３では、ステップＳ７０２において入力された指示内容が、動作体玩具動作アプリケーション６００を終了させるための指示であるか否かを判定する。ステップＳ７０３において、動作体玩具動作アプリケーション６００を終了させるための指示であると判定された場合には、ステップＳ７０７に進み、動作体玩具動作アプリケーション６００を終了する。
【００５１】
一方、ステップＳ７０２において入力された指示内容が、動作体玩具動作アプリケーション６００を終了させるための指示でないと判定された場合には、ステップＳ７０４に進む。
【００５２】
ステップＳ７０４では、スマートフォン１５０の電源制御部６２０において検知された内部電池の残容量が、所定値以下であるか否かを判定する。ステップＳ７０４において、所定値以下でないと判定された場合には、ステップＳ７０５に進み、ステップＳ７０２において入力された指示内容に対応した動作を行うよう制御する。具体的には、指示内容に対応した顔面画像を表示部６１３に表示したり、指示内容に対応した音声信号を動作体玩具１００に出力したり、指示内容に対応した制御信号を動作体玩具１００に出力したりする。
【００５３】
一方、ステップＳ７０４において、所定値以下であると判定された場合には、ステップＳ７０６に進み、ステップＳ７０２において入力された指示内容に対応した動作を行うよう制御するとともに、指示内容に対応した制御信号を動作体玩具１００に出力するにあたり、内部電池の残容量が所定値以下であることを示す制御信号もあわせて出力する。これにより、当該制御信号を受信した動作体玩具１００では、通常の動作速度よりも遅い動作速度により、各動作モータ５４１〜５４６を動作させることができる。
【００５４】
このように内部電池の残容量が少なくなってきた場合に、動作体玩具１００の動作速度を落とすことで、ユーザは、動作体玩具１００の緩慢な動作（つまり、元気のない犬の動き）を見て、スマートフォン１５０の充電が必要であることを知ることができる。
【００５５】
ステップＳ７０５またはステップＳ７０６において指示内容に対応した動作を行うよう制御した後は、ステップＳ７０２に戻り、ユーザにより次の指示が入力されるのを待つ。
【００５６】
以上の処理を繰り返すことで、ユーザは、動作体玩具１００を擬似ペットとして扱うことができるようになる。
【００５７】
＜８．実施例＞
次に、図７に示すフローチャートに従って動作体玩具動作アプリケーション６００が実行された場合の、スマートフォン１５０の表示部６１３に表示される顔面画像の一例及び動作体玩具１００の動作内容の一例を説明する。
【００５８】
図８は、スマートフォン１５０の表示部６１３に表示される顔面画像の一例を示す図である。図８に示すように、犬の表情として、（ａ）困った顔、（ｂ）普通の顔、（ｃ）驚いた顔、（ｄ）すました顔、（ｅ）感激した顔、（ｆ）怒った顔等、様々な表情の顔面画像を表示することができる。
【００５９】
図９は、動作体玩具１００の動作内容の一例を示す図である。図９に示すように、犬の動作として、（ａ）尻尾を振る、（ｂ）歩きまわる、（ｃ）おすわりをする等、様々な動作内容を実現することができる。
【００６０】
更に、これらの表情及び動作内容を組み合わせることができるとともに、これらの表情及び動作内容に適した音声出力を更に組み合わせることで、ユーザにとってはより興趣性の高い動作体玩具を提供することが可能となる。
【００６１】
以上の説明から明らかなように、本実施形態に係る動作体玩具では、頭部の一部を形成するように、移動体通信機器を動作体玩具の顔面位置において保持する構成とした。これにより、ユーザは、移動体通信機器を運動対玩具に取り付けた状態であっても移動体通信機器を容易に操作することが可能となり、興趣性の高い対話型の動作体玩具を実現することが可能となった。
【００６２】
また、本実施形態に係る動作体玩具では、移動体通信機器のイヤホンジャック用コネクタ部を介して、移動体通信機器からの信号を受信するように構成した。これにより、従来のような外部通信用のコネクタを介して接続する場合と比較して、低コストにより実現することが可能となった。
【００６３】
つまり、興趣性の高い動作体玩具を低コストで実現することが可能となった。
【００６４】
［第２の実施形態］
上記第１の実施形態では、図７において、ユーザの操作に応じて動作体玩具１００が動作する場合について説明した。しかしながら、本発明はこれに限定されず、例えば、無線通信部６１８の処理結果（例えば、着呼、メール受信等）に応じて動作する構成としてもよい。あるいは、カメラ部６１７を起動させ、カメラ部６１７を介して撮像された静止画像または動画像を処理することにより得られた処理結果に応じて動作する構成としてもよい。この場合、図７のステップＳ７０２では、無線通信部６１８の着呼、メール受信の識別処理、あるいはカメラ部６１７により撮像された静止画像または動画像の処理結果の識別処理が実行されることとなる。
【図４】
2013039207.tif 000003
【図５】
2013039207.tif 000004
【図６】
2013039207.tif 000005
【図７】
2013039207.tif 000006
【図８】
2013039207.tif 000007
【図９】
2013039207.tif 000008
【図１】
2013039207.tif 000009
【図２】
2013039207.tif 000010
【図３】
2013039207.tif 000011
【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
動物または人の形等の特定の形状を模した形状を有する動作体玩具であって、
肢部が動作可能に取り付けられた胴体部と、
表示部を有する通信機器が嵌合されることで、該通信機器を前記動作体玩具の顔面位置において保持するよう構成され、かつ、前記胴体部に対して動作可能に取り付けられた首部によって、該通信機器が嵌合される面の背面から支持される頭部と、
前記頭部において保持された前記通信機器から出力される信号を、前記胴体部に取り付けられた前記肢部を動作させる制御部に伝送するための伝送部材と、
前記通信機器から出力される信号に基づいて音声を出力する音声出力部と、を備え、
前記伝送部材は、少なくとも２つの伝送経路を有するイヤホンジャックであり、第１の伝送経路により伝送された信号は前記音声出力部に入力され、第２の伝送経路により伝送された信号は前記制御部に入力されるよう構成されており、
前記通信機器が前記頭部に嵌合された場合に該通信機器の側面を取り囲む、該頭部の周縁部には、前記イヤホンジャックが収納されており、少なくとも、該イヤホンジャックのスリーブ部が、該周縁部から突出して配されていることを特徴とする動作体玩具。
【請求項２】
前記イヤホンジャックは、リング部を介して前記通信機器から出力される信号を前記音声出力部に伝送し、チップ部を介して前記通信機器から出力される信号を前記制御部に伝送するよう構成されていることを特徴とする請求項１に記載の動作体玩具。
【請求項３】
前記制御部では、前記通信機器より、内部電池の残容量が所定値以下であることを示す信号が伝送された場合に、前記肢部の動作速度を落として、前記肢部を動作させることを特徴とする請求項１または２に記載の動作体玩具。
【請求項４】
前記通信機器の表示部には、前記音声出力部により出力される音声または前記制御部により制御される前記肢部の動作内容の少なくともいずれか一方と対応した顔面画像が表示されることを特徴とする請求項１乃至３のいずれか一項に記載の動作体玩具。
【請求項５】
前記通信機器に対してユーザが入力した指示に従って、該通信機器から前記信号が出力されることを特徴とする請求項１乃至４のいずれか一項に記載の動作体玩具。
【請求項６】
前記通信機器において入力された音声または前記通信機器において撮像された画像に基づいて、該通信機器から前記信号が出力されることを特徴とする請求項１乃至４のいずれか一項に記載の動作体玩具。
【請求項７】
前記通信機器は、無線通信部を有し、
前記無線通信部の処理結果に基づいて、該通信機器から前記信号が出力されることを特徴とする請求項１乃至４のいずれか一項に記載の動作体玩具。
【請求項８】
請求項１または２に記載の動作体玩具に前記伝送部材を介して接続される前記通信機器のコンピュータに、制御方法を実行させるためのプログラムであって、
前記制御方法は、
前記音声出力部により出力される音声または前記制御部により制御される前記肢部の動作内容の少なくともいずれか一方に対応した顔面画像を前記表示部に表示する工程と、
前記通信機器において入力された指示に従って、該通信機器から前記信号を出力する工程と、
前記通信機器において入力された音声または前記通信機器において撮像された画像に基づいて、該通信機器から前記信号を出力する工程と
を有することを特徴とするプログラム。
【請求項９】
前記制御方法は、更に、前記通信機器の内部電池の残容量が所定値以下であることを示す信号を出力する工程を有することを特徴とする請求項８に記載のプログラム。
【手続補正２】
【補正対象書類名】明細書
【補正対象項目名】０００７
【補正方法】変更
【補正の内容】
【０００７】
上記の目的を達成するために本発明に係る動作体玩具は以下のような構成を備える。即ち、
動物または人の形等の特定の形状を模した形状を有する動作体玩具であって、
肢部が動作可能に取り付けられた胴体部と、
表示部を有する通信機器が嵌合されることで、該通信機器を前記動作体玩具の顔面位置において保持するよう構成され、かつ、前記胴体部に対して動作可能に取り付けられた首部によって、該通信機器が嵌合される面の背面から支持される頭部と、
前記頭部において保持された前記通信機器から出力される信号を、前記胴体部に取り付けられた前記肢部を動作させる制御部に伝送するための伝送部材と、
前記通信機器から出力される信号に基づいて音声を出力する音声出力部と、を備え、
前記伝送部材は、少なくとも２つの伝送経路を有するイヤホンジャックであり、第１の伝送経路により伝送された信号は前記音声出力部に入力され、第２の伝送経路により伝送された信号は前記制御部に入力されるよう構成されており、
前記通信機器が前記頭部に嵌合された場合に該通信機器の側面を取り囲む、該頭部の周縁部には、前記イヤホンジャックが収納されており、少なくとも、該イヤホンジャックのスリーブ部が、該周縁部から突出して配されていることを特徴とする。